(57)【要約】【課題】各支店では、資金移動のための処理は殆ど人手により処理していたので、手間と時間がかかっていた。また、伝票の記票と処理において人手が入っているため、ミスの発生する可能性が大きかった。【解決手段】各支店から受信した伝票データを格納するファイル装置８と、ファイル装置８の伝票データを処理する処理端末装置１３を備え、処理端末装置１３に、振込カード発行データを作成するカード発行データ作成処理部１４と、資金移動条件を設定する資金移動条件処理部５と、伝票データの集計を行う集計処理部６と、資金移動のための資金移動伝票を作成する資金移動伝票作成処理部７を設け、処理端末装置１３に振込カード発行機１４を接続した。【選択図】図１
2007052802.tif 000002
【特許請求の範囲】
【請求項１】
金融機関の各支店で発生した伝票データをセンタで集中処理するシステムの前記センタに設置される為替集中処理装置であって、
前記各支店から受信した伝票データを格納するファイル装置と、
前記ファイル装置に格納された伝票データを各支店毎に集計して集計データを作成する集計処理手段と、
各支店毎の集計データの作成の際、分類項目として、振込種目と、取扱と、宛て先種別の各項目を設定し、前記項目別に分類した集計データを作成する項目別集計手段と、
前記各支店毎の集計データを基に各支店に対する資金移動処理を行い、資金移動のための資金移動伝票データを自動作成する資金移動伝票作成処理手段を備えていることを特徴とした為替集中処理装置。
【請求項２】
前記ファイル装置の伝票データの中から、振込カード発行が必要な取引の伝票データを読み出し、前記伝票データを振込カード発行用のデータ形式に変換して振込カード発行データを作成するカード発行データ作成処理手段と、前記カード発行データ作成処理手段から出力されたデータを基に振込カードを発行する振込カード発行機を備えていることを特徴とした請求項１記載の為替集中処理装置。
【請求項３】
前記カード発行データ作成処理手段は、前記伝票データに含まれている振込カード発行の要／不要情報を基に、振込カード発行が必要な取引か否かを判断する機能を備えていることを特徴とした請求項２記載の為替集中処理装置。
【発明の詳細な説明】
【技術分野】
【０００１】
本発明は、銀行、その他の金融機関の各支店で発生した伝票データ（振込伝票等のデータ）をセンタで集中処理するシステムに利用される為替集中処理装置に関し、特に、前記センタにおいて、前記伝票データの集計処理、振込カードの自動発行処理、資金移動処理、資金移動伝票作成処理等の為替処理を集中して行う為替集中処理装置に関する。
【背景技術】
【０００２】
以下、図１５〜２０に基づいて従来例を説明する。なお、以下の説明では、振込伝票等を単に「伝票」と記す。
【０００３】
§１：為替処理の説明・・・図１５参照
図１５は従来の為替処理説明図である。従来、銀行、その他の金融機関においては各種の為替処理（給与振込処理、各種送金処理等）を行っていた。この為替処理は、銀行等の金融機関の各支店とセンタとの間のファクシミリ為替処理システムを利用し、次の(1) 〜(13)の手順により行われていた。
【０００４】
(1) ：先ず、センタでファクシミリ為替処理システムを起動する。この処理によりファクシミリ為替処理システムは通常運用状態になる。
【０００５】
(2) ：前記ファクシミリ為替処理システムが通常運用状態になると、センタでは、各支店からのファクシミリ（以下「ＦＡＸ」と記す）による伝票集信処理を開始する。
【０００６】
(3) ：その後、各支店では伝票受け付け業務を開始する。そして、伝票（振込伝票）の受け付けを行い、受け付けた伝票を逐次センタへＦＡＸ送信する。
【０００７】
(4) ：前記伝票受け付け業務を行っている間、各支店では受け付けた伝票に対し、必要に応じて振込カードを手作業で発行する。
【０００８】
(5) ：各支店で伝票受け付け業務を行っている間、センタでは伝票集信処理を行う。そしてこの間、各支店からの伝票を逐次ＦＡＸ受信する。
【０００９】
(6) ：センタでは、各支店からＦＡＸ受信した伝票（伝票のイメージデータ）を逐次処理する（伝票処理）。
【００１０】
(7) ：センタでは、各支店からの伝票集信処理が終了すると、各支店からＦＡＸ受信した伝票データの集計処理を行い、前記集計処理で集計した集計データを各支店にＦＡＸ送信する。
【００１１】
(8) ：支店では、センタからの集計データをＦＡＸ受信する。
【００１２】
(9) ：支店では、ＦＡＸ受信した集計データを基に資金移動処理を行い、資金移動のための資金移動伝票を作成する。
【００１３】
(10)：支店では、前記(9) で作成した資金移動伝票の処理を行う。
【００１４】
(11)：支店では、前記(10)の処理が完了すると、センタに対して資金の移動を行う。
【００１５】
(12)：センタでは、支店からの資金の受け取りを行う。
【００１６】
(13)：センタでは、支店から受け取った資金と集計データとを比較し、間違いが無いかチェックする。
【００１７】
§２：処理の詳細な説明・・・図１６〜図２０参照
図１６は従来の集計データ例／資金移動管理台帳例、図１７は従来の転記例１／転記例２、図１８は従来の転記例３／転記例４、図１９は従来の転記例５、図２０は従来の資金移動伝票例である。以下、図１６〜図２０に基づいて前記(1) 〜(13)の処理の内、(8) の集計データ受信から(11)の資金の移動の各処理を詳細に説明する。
【００１８】
(a) ：前記(8) の支店で行う集計データ受信処理の説明
支店で行う(8) の集計データ受信処理では、図１６のＡ図に示したフォーマットの集計データをＦＡＸ受信する。この集計データ例は、Ａ１支店の受信データであり、種目、振込指定日、件数、金額の各項目がある。この場合、振込指定日は種目に応じて指定可能な日付が異なり、フリコミ（振込）の場合には当日のみ可能である。また、サキフリの場合には、翌１（翌日）〜翌３（翌日から３日間）までの日付が可能である。キウヨ（給与）の場合には、翌２〜翌３までの日付が可能である。
【００１９】
(b) ：支店では、当日、支店からＦＡＸ送信した伝票の集計内容と、センタからＦＡＸ送信された前記(a) の集計データの内容が一致するか否かを人手により確認する。
【００２０】
(c) ：支店では、図１６のＢ図に示したフォーマットの資金移動管理台帳に、前記ＦＡＸ受信した集計データを人手により転記する。転記する際には、集計データの振込指定日が、資金移動管理台帳の資金移動日付と同じとなるように転記する。このようにして転記した資金移動管理台帳例を図１７〜図１９に示す。
【００２１】
図１７のＣ図は転記例１、図１７のＤ図は転記例２、図１８のＥ図は転記例３、図１８のＦ図は転記例４、図１９のＧ図は転記例５である。なお、前記各転記例において、ａは転記した欄、ｂは前日までに転記済みの欄、ｃは未転記（空白）欄（翌日以降に転記する欄）である。
【００２２】
(d) ：資金移動日が当日である資金移動管理台帳の合計欄を計算する。この場合、資金移動日が１０／１１であるから、図１９のように資金移動金額（合計）を計算する。
【００２３】
(e) ：支店では、前記資金移動管理台帳を元に、図２０に示したような資金移動伝票を作成し、担当印を押印する。更に確認の為に、管理者が確認し承認印を押印する。
【００２４】
(f) ：承認印の承認された資金移動伝票のデータを、オペレータが端末を操作して入力する。
【発明の開示】
【発明が解決しようとする課題】
【００２５】
前記のような従来のものにおいては、次のような課題があった。
【００２６】
(1) ：各支店では、資金移動のための処理、特に前記(8) 〜(11)の処理は殆ど人手により処理していたので、手間と時間がかかっていた。また、伝票の記票と処理において人手が入っているため、ミスの発生する可能性が大きかった。
【００２７】
(2) ：各支店で行っている振込カードの発行と、センタで処理する伝票データとでは同じ内容が多いにも係わらず、支店とセンタとで別にデータの入力処理を行っており、２度手間であるばかりでなく、異なった入力を行ってしまう可能性があった。
【００２８】
本発明はこのような従来の課題を解決し、センタにおいて、各支店から受信した伝票データを基に、伝票データの集計処理、資金移動処理、資金移動伝票作成処理等の為替処理を集中して行うことにより、従来各支店で行っていた為替処理を削減し、為替処理の効率化を図ることを目的とする。また、センタにおいて、処理済みの伝票データを使用して振込カードを自動的に発行することで、各支店での振込カード発行処理を無くし、オペレータの負担を軽減することを目的とする。
【課題を解決するための手段】
【００２９】
本発明は前記の目的を達成するため、次のように構成した。
図１は本発明の原理説明図である。本発明は前記の目的を達成するため、次のように構成した。
【００３０】
(1) ：金融機関の各支店で発生した伝票データをセンタで集中処理するシステムの前記センタに設置される為替集中処理装置であって、前記為替集中処理装置には、振込処理装置１１と処理端末装置１３と、振込カード１５を発行するための振込カード発行機１４を設けた。
【００３１】
また、前記振込処理装置１１には、ファイル装置８と、ホストへデータを送信するためのホスト送信部１と、ファイル装置８からデータを出力するためのデータ出力部２と、ファイル装置８に格納された各ファイルの制御を行うファイル制御部３を設け、前記処理端末装置１３には、カード発行データ作成処理部４と、資金移動条件処理部５と、集計処理部６と、資金移動伝票作成処理部７を設けた。更に、前記ファイル装置８には、伝票データファイル２９と、集計データファイル３０と、資金移動条件データファイル３１を設けた。
【００３２】
また、前記為替集中処理装置を次のように構成した。
【００３３】
(2) ：金融機関の各支店で発生した伝票データをセンタで集中処理するシステムの前記センタに設置される為替集中処理装置であって、前記各支店から受信した伝票データを格納するファイル装置８と、ファイル装置８に格納された伝票データを各支店毎に集計して集計データを作成する集計処理手段と、前記各支店毎の集計データを基に各支店に対する資金移動処理を行い、資金移動のための資金移動伝票データを作成する資金移動伝票作成処理手段を備えている。
【００３４】
(3) ：前記(2) の為替集中処理装置において、集計処理手段は、各支店毎に集計データを作成する際、集計データの分類項目として、振込種目と、振込指定日と、取扱と、宛て先種別の各項目を設定し、前記項目別に分類して集計データを作成する機能を備えている。
【００３５】
(4) ：前記(2) の為替集中処理装置において、ファイル装置８の伝票データの中から、振込カード発行が必要な取引の伝票データを読み出し、前記伝票データを振込カード発行用のデータ形式に変換して振込カード発行データを作成するカード発行データ作成処理手段と、前記カード発行データ作成処理手段から出力されたデータを基に振込カードを発行する振込カード発行機１４を備えている。
【００３６】
(5) ：前記(3) の為替集中処理装置において、カード発行データ作成処理手段は、前記伝票データに含まれている振込カード発行の要／不要情報を基に、振込カード発行が必要な取引か否かを判断する機能を備えている。
【００３７】
(6) ：金融機関の各支店で発生した伝票データをセンタで集中処理するシステムの前記センタに設置される為替集中処理装置であって、前記各支店から受信した伝票データを格納するファイル装置と、前記ファイル装置に格納された伝票データを各支店毎に集計して集計データを作成する集計処理手段と、各支店毎の集計データの作成の際、分類項目として、振込種目と、取扱と、宛て先種別の各項目を設定し、前記項目別に分類した集計データを作成する項目別集計手段と、前記各支店毎の集計データを基に各支店に対する資金移動処理を行い、資金移動のための資金移動伝票データを自動作成する資金移動伝票作成処理手段を備えていることを特徴とした為替集中処理装置。
【００３８】
(7) ：(6) の為替集中処理装置において、前記ファイル装置の伝票データの中から、振込カード発行が必要な取引の伝票データを読み出し、前記伝票データを振込カード発行用のデータ形式に変換して振込カード発行データを作成するカード発行データ作成処理手段と、前記カード発行データ作成処理手段から出力されたデータを基に振込カードを発行する振込カード発行機を備えていることを特徴とした為替集中処理装置。
【００３９】
(8) ：(7) の為替集中処理装置において、前記カード発行データ作成処理手段は、前記伝票データに含まれている振込カード発行の要／不要情報を基に、振込カード発行が必要な取引か否かを判断する機能を備えていることを特徴とした為替集中処理装置。
【００４０】
（作用）
前記構成に基づく作用を図１に基づいて説明する。
【００４１】
(a) ：金融機関の各支店からＦＡＸ受信した伝票データは振込処理装置１１に出力され、ファイル装置８の伝票データファイル２９に格納される。また、受信した伝票データは、文字認識処理によりコードデータに変換され、伝票データファイル２９に格納される。その後、前記ファイル装置８に格納された伝票データファイル２９のデータは次のように処理される。
【００４２】
(b) ：振込カード発行機１４で振込カードを発行する場合は、処理端末装置１３のカード発行データ作成処理部４がデータ出力部２を介してファイル装置８から伝票データの中で振込カード発行が必要な伝票データを順次読み出す。読み出した伝票データは、振込カード発行機１４に送信するデータ形式に変換され、振込カード発行機１４に送信する。そして、振込カード発行機１４で振込カードを発行する。
【００４３】
前記振込カード発行処理では、伝票データに含まれている振込カード発行の要／不要情報を基に、振込カード発行が必要な取引か否かを判断し、振込カードの発行が必要な取引に対してのみ振込カードを発行する。
【００４４】
(c) ：資金移動条件処理部５が資金移動条件データの設定／変更処理を行う場合は、データ出力部２を介してファイル装置８から資金移動条件データファイル３１のデータを読み出す。そして、読み出した資金移動条件データは、オペレータによる変更処理が行われた後に、ファイル制御部３を介してファイル装置８の資金移動条件データファイル３１に格納される。
【００４５】
(d) ：集計処理部６が集計処理を行う場合は、データ出力部２を介して伝票データファイル２９の伝票データの内、処理済みの伝票データを逐次読み出し、集計処理を行う。集計処理が終了したら、ファイル制御部３を介して集計データファイル３０に格納する。
【００４６】
前記集計処理は各支店毎に集計データを作成するが、この場合、集計データの分類項目として、振込種目と、振込指定日と、取扱と、宛て先種別の各項目を設定し、前記項目別に分類して集計データを作成する。
【００４７】
(e) ：資金移動伝票作成処理部７が、資金移動処理及び資金移動伝票作成処理を行う場合には、データ出力部２を介して、集計データファイル３０と、資金移動条件データファイル３１のデータを読み出し、各支店毎に資金移動処理を行い、資金移動のための資金移動伝票（送信可能な資金移動伝票の電文データ）を作成する。作成した資金移動伝票はファイル制御部３を介してファイル装置８に格納する。前記のようにして作成された資金移動伝票は、ホスト送信部１を介してホストへＦＡＸ送信される。
【００４８】
(f) ：以上のようにして、各支店毎の資金移動伝票（電文データ）をセンタで自動的に作成し各支店へ伝送することで、各支店で行う為替処理を削減し、作業の負担を軽減することができる。また、処理済みの伝票データを使用して振込カードを自動的に発行することで、各支店側の振込カード発行作業を軽減することができる。
【発明の効果】
【００４９】
(1) ：伝票データに付随して発生する資金移動処理をセンタ側で行うので、従来行っていた支店での付け替えの為の伝票の作成及び処理を無くすことができる。このため、資金移動処理を簡便に、かつ間違いなく行うことができる。
【００５０】
(2) ：センタで伝票データの送信、及び振込カードの発行を連動して行うため、支店での伝票データの送信、及び振込カード発行のための処理が不要になり、効率的に為替処理を行うことができる。また、センタで一括して為替処理を行うことにより、実際の振込データと、振込カードの内容が異なるという間違いの発生を無くすことができる。
【００５１】
(3) ：各支店に対する資金移動のための資金移動伝票をセンタで自動的に作成することができるので、従来各支店で行っていた資金移動のための処理、及びセンタでの付け替えられた金額のチェックを行う必要が無くなる。このため、例えば、１支店当たり、５分〜１０分の処理時間の短縮が可能になる。また、作業ミスの発生を防ぐことができる。
【００５２】
(4) ：センタで処理した伝票データを基に振込カードを自動的に発行し、支店での振込カードの発行を行わなくて良くなるため、例えば、振込カード１枚当たり、約３０秒の処理の効率化が図れる。また、振込データと発行する振込カードの内容の不一致の発生を無くすことができる。
【００５３】
(5) ：センタにおいて、各支店から受信した伝票データを基に、伝票データの集計処理、資金移動処理、資金移動伝票作成処理等の為替処理を集中して行うことにより、従来各支店で行っていた為替処理を削減し、為替処理の効率化を図ることができる。また、センタにおいて、処理済みの伝票データを使用して振込カードを自動的に発行することで、各支店での振込カード発行処理を無くし、オペレータの負担を軽減することができる。
【００５４】
前記効果の他、各請求項に対応して次のような効果がある。
【００５５】
(6) ：為替集中処理装置にファイル装置と、ファイル装置の伝票データを各支店毎に集計して集計データを作成する集計処理手段と、各支店毎の集計データを基に各支店に対する資金移動処理を行い、資金移動のための資金移動伝票データを作成する資金移動伝票作成処理手段を備えている。
【００５６】
従って、伝票データに付随して発生する資金移動処理を、センタの集計処理手段、資金移動伝票作成処理手段等により行うので、従来行っていた支店での付け替えの為の伝票の作成、及び処理を無くすことができる。このため、資金移動処理を簡便に、かつ間違いなく行うことができる。また、従来各支店で行っていた為替処理を削減することで、為替処理の効率化を図ることができる。
【００５７】
(7) ：集計処理手段は、各支店毎に集計データを作成する際、集計データの分類項目として、振込種目と、振込指定日と、取扱と、宛て先種別の各項目を設定し、前記項目別に分類して集計データを作成する機能を備えている。従って、センタにおいて、従来各支店で行っていた全ての分類項目毎の集計処理ができるから、各支店での為替処理を削減することができ、為替処理の効率化を図ることができる。
【００５８】
(8) ：ファイル装置の伝票データの中から振込カード発行が必要な取引の伝票データを読み出し、振込カード発行データを作成するカード発行データ作成処理手段と、前記カード発行データ作成処理手段から出力されたデータを基に振込カードを発行する振込カード発行機を備えている。
【００５９】
従って、支店での振込カード発行のための処理が不要になり、効率的に為替処理を行うことができる。また、センタで一括して処理することにより、実際の振込データと振込カードの内容が異なるという間違いの発生を無くすことができる。
【００６０】
(9) ：カード発行データ作成処理手段は、伝票データに含まれている振込カード発行の要／不要情報を基に、振込カード発行が必要な取引か否かを判断する機能を備えている。従って、各支店で発生する伝票データに振込カード発行の要／不要情報を含めておけば、センタ側で振込カードの発行が必要か否かを簡単に判断することができる。
【発明を実施するための最良の形態】
【００６１】
以下、発明の実施の形態を図面に基づいて説明する。なお、以下の説明では、振込伝票を単に「伝票」と記す。
【００６２】
§１：ファクシミリ為替処理システムの説明・・・図２参照
図２はシステム構成図である。例えば、銀行で使用されているファクシミリ為替処理システムは、各銀行Ａ、Ｂ、Ｃ・・・毎にセンタと複数の支店間をＦＡＸ通信回線で結び、更に各銀行のセンタを介して各銀行間がＦＡＸ通信回線で結ばれたシステムである。
【００６３】
例えば銀行Ａでは、銀行Ａの各支店Ａ１、Ａ２、Ａ３・・・とＡセンタ間でＦＡＸ送受信可能であり、このＦＡＸ送受信によりセンタにおいて為替集中処理を行うように構成されている。また、銀行Ａと同様に、銀行Ｂ、銀行Ｃについても、各支店とセンタ間でＦＡＸ送受信可能であり、このＦＡＸ送受信によりセンタにおいて為替集中処理を行うように構成されている。
【００６４】
この場合、図示の(a) （図示実線矢印）は銀行Ａの各支店からＡセンタへ伝票をＦＡＸ送信する処理を示し、(b) はＡセンタで各支店からＦＡＸ送信された伝票を処理することを示し、(c) （図示点線矢印）はＡセンタで伝票処理したデータを、銀行Ｂ、銀行Ｃへ送信する処理を示す。このようなデータの流れにより、各支店から伝票データをＦＡＸでセンタへ送信し、センタにおいて為替集中処理（伝票等の集中処理）を行うシステムが構築されている。
【００６５】
§２：センタに設置される為替集中管理装置の説明・・・図３参照
図３は為替集中処理装置のブロック図である。運用時には、前記各銀行のセンタに為替集中処理装置が設置される。この為替集中処理装置は、ホスト１０に接続された振込処理装置１１と、前記振込処理装置１１に接続された処理端末装置１３、及びＦＡＸ１２等で構成される。
【００６６】
そして振込処理装置１１には、認識部２０と、受信メモリ２１と、ディスク装置２６と、ファイル入力部２２と、業務処理部２３と、ファィル検索部２４と、ファィル更新部２５と、通信制御部２８が設けてある。また、処理端末１３には、複数の処理端末１、２・・・ｎと、前記処理端末ｎに接続された振込カード発行機１４が設けてある。前記各部の機能等は次の通りである。
【００６７】
(1) ：振込処理装置１１は、例えばサーバーにより構成され、処理端末装置１３からの指示により各種振込処理等を行うものである。なお、この振込処理装置１１にはディスプレイ装置を備えていない。
【００６８】
(2) ：ＦＡＸ１２は、各支店から送信された伝票データ等をＦＡＸ受信するものである。なお、ＦＡＸ１２で受信した伝票のイメージデータは振込処理装置１１へ出力する。
【００６９】
(3) ：認識部２０は、文字認識を行うＯＣＲで構成され、受信メモリ２１に格納されたイメージデータ（ＦＡＸ受信した伝票のイメージデータ）を読み出して文字認識処理を行い、コードデータ（文字のコードデータ）に変換するものである。
【００７０】
(4) ：受信メモリ２１は、ＦＡＸ１２から出力された伝票のイメージデータを格納するメモリである。
【００７１】
(5) ：ディスク装置２６は、ディスクファィル２７を備えており、このディスクファィル２７に、イメージデータ、コードデータ、及び処理ステイタスの各データを格納する伝票データファイル２９と、集計データを格納する集計データファイル３０と、資金移動条件データを格納する資金移動条件データファイル３１が設けてある。
【００７２】
(6) ：ファイル入力部２２は、受信メモリ２１に格納されたイメージデータと、認識部２０で認識した結果のコードデータをディスクファィル２７に格納する処理を行うものである。
【００７３】
(7) ：業務処理部２３は、処理端末１３からの指示により、振込処理装置１１内の各種処理を行うものである。例えば、伝票データファイルや、処理ステイタスの受け渡し、伝票データの集計処理など、各種処理を行うものである。また、業務処理部２３は、送信待ちの伝票データファイルをホスト１０に逐次送信する処理も行う。
【００７４】
(8) ：ファィル検索部２４は、業務処理部２３から未処理、処理済み等の伝票データの検索を指示された時、ディスクファィル２７を検索して、検索結果のデータを業務処理部２３へ渡す処理を行うものである。
【００７５】
(9) ：ファィル更新部２５は、業務処理部２３からの指示により処理済みの伝票データでディスクファィル２７のデータを更新するものである。
【００７６】
(10)：通信制御部２８は、業務処理部２３からの指示によりホスト１０との間の通信制御を行うものである。
【００７７】
(11)：処理端末装置１３は複数の処理端末１、２・・・ｎを備えており、例えば、ディスプレイ装置を備えたパーソナルコンピュータで構成される。この処理端末装置１３は、振込処理装置１１から転送された伝票のイメージデータ、コードデータの表示や、編集処理等を行うものである。なお、編集後の伝票データは振込処理装置１１においてディスクファィル２７に格納される。
【００７８】
(12)：振込カード発行機１４は、処理端末装置１３からの指示により、振込カード１５にデータを書き込んで振込カードを発行するものである。
【００７９】
§３：為替処理の説明・・・図４参照
図４は為替処理説明図である。銀行等の金融機関では、各支店とセンタ間でＦＡＸ通信を行うことにより、次のようにして為替処理を行う。なお、(1) 〜(13)は為替処理手順を示す。
【００８０】
(1) ：先ず、センタでファクシミリ為替処理システムを起動する。この処理によりファクシミリ為替処理システムは通常運用状態になる。
【００８１】
(2) ：その後、センタで伝票集信処理を開始する。
【００８２】
(3) ：支店では伝票受付を開始し、順次伝票の受け付けを行う。
【００８３】
(4) ：そして、前記受け付けた伝票を逐次センタへＦＡＸ送信する。
【００８４】
(5) ：前記のように各支店での伝票受付が開始されると、センタでは伝票集信処理を開始し、各支店からの伝票を逐次ＦＡＸ受信する。
【００８５】
(6) ：この時センタでは伝票処理を開始し、為替集中処理装置により前記ＦＡＸ受信した伝票データを逐次処理する。この伝票処理では、(a) 伝票データ（イメージデータ）の文字認識処理、(b) 伝票データ（認識後のコードデータ）のホストへの送信処理、(c) 振込カードの発行処理等を行う。
【００８６】
(7) ：センタでは、伝票データを全て処理し終わると（１日の伝票集信処理終了時）、前記伝票データの集計処理を行い集計データを作成する。そして、資金移動条件の設定／変更処理を行うと共に、前記集計データを基に資金移動処理を行う。
【００８７】
(8) ：センタでは、前記集計データを基に各支店毎に資金移動伝票（各支店へ送信可能な電文データ）を作成する。
【００８８】
(9) ：センタでは、前記作成した資金移動伝票を宛て先別（各支店毎）にＦＡＸ送信する。
【００８９】
(10)：支店では、センタから送信された資金移動伝票のＦＡＸ受信を行う。
【００９０】
(11)：支店では、前記(10)の処理で受信した資金移動伝票により、センタに対して資金の移動を行う。
【００９１】
(12)：センタでは、支店からの資金を受け取る。
【００９２】
(13)：センタでは、支店から受け取った資金と集計データとを比較し、間違いが無いかチェックする。
【００９３】
§４：為替集中処理装置の動作説明
前記為替集中処理装置の動作は次の通りである。
【００９４】
(1) ：銀行の各支店からＦＡＸ１２で受信した伝票データ（振込伝票のイメージデータ）は、振込処理装置１１に出力され、受信メモリ２１に格納される。その後振込処理装置１１では、認識部２０が受信メモリ２１のイメージデータを読み出して文字認識を行いコードデータに変換する。そして、ファイル入力部２２は、受信メモリ２１のイメージデータ及び認識部２０で変換したコードデータを伝票データファイル２９に格納する。
【００９５】
(2) ：処理端末装置１３では、オペレータによって伝票データ処理が選択されると、振込処理装置１１から未処理の伝票データを読み出し、イメージデータ、及び認識部２０で認識したコードデータをディスプレイ装置の画面に表示する。また、必要に応じて認識部２０で認識した結果のコードデータの修正を行う。
【００９６】
そして、伝票処理が終了した時点で、伝票データファイル２９に格納されている処理ステイタスを処理済みに更新し振込処理装置１１に送出する。この時振込処理装置１１では、伝票データファイル２９の処理ステイタスを処理済みに更新する。
【００９７】
(3) ：業務処理部２３は、処理端末１３で処理された伝票データを受け取り、その処理ステイタスが送信待ちの時は、通信制御部２８に指示してホスト１０に前記伝票データを送信すると共に、ファイル更新部２５を介して伝票データファイル２９の伝票データを更新する。
【００９８】
(4) ：処理端末装置１３は、オペレータにより資金移動条件の設定／変更処理が選択されると、資金移動条件データファイル３１から資金移動条件データを読み出し、内容をディスプレイ装置の画面上に表示する。また、オペレータは必要に応じて資金移動条件の設定／更新処理を行う。そして、設定／更新処理が終了したら、処理端末装置１３から振込処理装置１１へ前記処理済みの資金移動条件データを送信する。振込処理装置１１は、前記処理済みの資金移動条件データにより資金移動条件データファイル３１を更新する。
【００９９】
(5) ：処理端末装置１３は、オペレータにより集計データ作成指示が選択されると、振込処理装置１１に集計の指示コマンドを送信する。業務処理部２３は、処理端末装置１３から前記集計の指示コマンドを受け取ると、ファイル検索部２４を通して伝票データファイル２９の中から処理ステイタスが処理済みの伝票データを順次読み出し、集計処理を行う。そして、前記集計処理が終了すると、ファイル更新部２５を通して集計データファイル３０の集計データを更新する。
【０１００】
(6) ：処理端末装置１３は、オペレータにより資金移動伝票作成処理が選択されると、振込処理装置１１から集計データファイル３０の集計データと、資金移動条件データファイル３１の資金移動条件データを読み出し、資金移動処理を行って資金移動伝票（各支店へ送信可能な電文データ）を作成する。
【０１０１】
すなわち、前記資金移動条件データに従い、前記集計データを編集して資金移動伝票を作成する。作成した資金移動伝票は送信待ちの処理ステイタスとして振込処理装置１１に送出する。その後、振込処理装置１１では前記資金移動伝票をホスト１０へ送信する。
【０１０２】
§５：フローチャートによる為替集中処理の説明・・・図５参照
図５はセンタ側の処理フローチャートである。以下、図５に基づいて為替集中処理を説明する。なお、Ｓ１〜Ｓ８は各処理ステップを示す。
【０１０３】
Ｓ１：先ず各支店毎に、支店で発生した伝票データをセンタへＦＡＸ送信する。
【０１０４】
Ｓ２：センタでは、各支店からの伝票データをＦＡＸ受信する。そして、受信した伝票データ（イメージデータ）を振込処理装置１１へ送り、振込処理装置１１で受信メモリ２１に格納する。
【０１０５】
Ｓ３：振込処理装置１１では、認識部２０が受信メモリ２１に格納されたイメージデータ（伝票データ）を読み出して文字認識処理を行い、コードデータ（文字のコードデータ）に変換する。
【０１０６】
Ｓ４：前記認識処理が終了すると、ファイル入力部２２は、受信メモリ２１に格納されたイメージデータ（認識対象のデータ）と、前記認識処理により変換されたコードデータを伝票データファイル２９に格納する。また、ファイル入力部２２は、前記コードデータに関して、伝票データファイル２９の処理ステイタスを認識済みにする。
【０１０７】
Ｓ５：処理端末装置１３は、前記処理ステイタスが認識済みになっているコードデータを読み出して、認識誤りを修正する。そして、修正後のデータにより伝票データファイル２９のデータを更新する。
【０１０８】
Ｓ６：前記Ｓ５の処理終了後、センタの為替集中処理装置は、伝票データ（コードデータ）の送信処理、振込カード発行処理等を次のようにして行う。
【０１０９】
(1) ：伝票データ（コードデータ）の送信処理
振込処理装置１１は、処理端末装置１３からの指示により、処理ステイタスが送信待ちになっている伝票データファイル２９の伝票データ（コードデータ）をホスト１０へ送信する。この場合、業務処理部２３がファイル検索部２４を介して伝票データファイル２９のデータを読み出し、通信制御部２８に依頼してホスト１０へ送信する。そして、ホスト１０は、受信したデータを、他の銀行、或いは自銀行の他の支店等の指定された宛て先に送信する。
【０１１０】
(2) ：振込カード発行処理
振込カードを発行する場合は、振込カード発行機１４に接続された処理端末ｎが、業務処理部２３に指示して伝票データファイル２９の伝票データの中で、振込カードの発行が必要な取引の伝票データを順次読み出す。そして処理端末ｎは、読み出した伝票データを基に振込カード発行機１４に送出するデータフォーマットにデータ変換し、振込カード発行データを作成する。
【０１１１】
そして作成した振込カード発行データを振込カード発行機１４へ送出する。前記振込カード発行データを受け取った振込カード発行機１４は、振込カードに前記データを書き込んで振込カードを発行する。なお、振込カードは、顧客が自動取引装置（ＡＴＭ等）を使用して振込を行う場合に使用するカードである。
【０１１２】
Ｓ７：前記のようにして１日の伝票集信処理が終了すると、伝票データの集計処理、資金移動条件設定／変更処理、資金移動伝票の作成処理等を行う。この場合、処理端末装置１３から振込処理装置１１に指示して集計対象の伝票データを読み出し、伝票データの集計を行う。そして集計データは、振込処理装置１１に指示して集計データファイル３０に格納しておく。
【０１１３】
この場合、集計データには、振込種目、振込指定日、取扱、宛先種別の項目を設け、これらの項目別に分類して集計する。なお、宛先種別による分類とは、振込の宛て先金融機関、支店と為替データの発生した金融機関、支店とを比較し、(a) ：宛て先金融機関≠発信元金融機関の場合を他銀行とし、(b) ：宛て先金融機関＝発信元金融機関、かつ宛て先支店＝発信元支店の場合を自店とし、(c) ：宛て先金融機関＝発信元金融機関、かつ宛て先支店≠発信元支店の場合を僚店とする分類である。
【０１１４】
また、資金移動条件設定／変更処理を行う場合は、処理端末装置１３は、業務処理部２３に指示してディスクファイル２７に格納されている資金移動条件データを読み出し、内容をディスプレイ装置の画面に表示する。そして、必要に応じて資金移動条件の設定変更を行う。この処理が終了すると、業務処理部２３に依頼して資金移動条件データを資金移動条件データファイル３１に格納する。
【０１１５】
更に、資金移動伝票を作成する場合は、処理端末装置１３から振込処理装置１１へ指示を出して、集計データファイル３０から集計データを読み出すと共に、資金移動条件データファイル３１から資金移動条件データを読み出す。そして、前記データを基に、各支店等の宛て先別に資金移動伝票（電文データ）を作成する。
【０１１６】
Ｓ８：前記作成した資金移動伝票は、振込処理装置１１に指示してホスト１０へ送信する。なお、ホスト１０では受信した資金移動伝票を宛て先別に各支店等へ送信する。
【０１１７】
以上説明したように、各支店に対する資金移動のための資金移動伝票をセンタで自動的に作成することができるので、従来各支店で行っていた資金移動のための処理、及びセンタでの付け替えられた金額のチェックを行う必要が無くなる。このため、例えば、１支店当たり、５分〜１０分の処理時間の短縮が可能になる。また、作業ミスの発生を防ぐことができる。
【０１１８】
更に、センタで処理した伝票データを基に振込カードを自動的に発行し、支店での振込カードの発行を行わなくて良くなるため、例えば、振込カード１枚当たり、約３０秒の処理の効率化が図れる。また、振込データと発行する振込カードの内容の不一致の発生を無くすことができる。
【０１１９】
§６：集計処理、及び資金移動処理の説明・・・図６参照
図６は集計処理、及び資金移動処理フローチャートである。以下、図６に基づいて、センタで行う集計処理、及び資金移動処理を説明する。なお、Ｓ２１〜Ｓ３６は各処理ステップを示す。
【０１２０】
センタで伝票処理が終了すると（Ｓ２１）、オペレータが処理端末装置１３のいずれかの処理端末で集計処理を起動する（Ｓ２２）。そして、前記処理端末から振込処理装置１１に集計データ作成指示が送出され、振込処理装置１１で集計データが作成される（Ｓ２３）。
【０１２１】
その後、オペレータが処理端末で資金移動伝票作成処理を起動し（Ｓ２４）、振込処理装置１１から資金移動条件データを読み込む（Ｓ２５）。そして、処理端末のオペレータは、資金移動条件データが設定済みか否かを判断する（Ｓ３０）。その結果、資金移動条件データが設定されていない場合は、ディスプレイ装置の画面に資金移動条件未設定のメッセージを表示する（Ｓ２６）。
【０１２２】
次に、オペレータが処理端末で、資金移動条件設定処理を起動し（Ｓ２７）、資金移動条件設定処理を行い、処理を終了する（Ｓ２８）。そして、処理端末から振込処理装置１１に資金移動条件データを送出すると、振込処理装置１１では、該当する資金移動条件データファイル３１を更新し（Ｓ２９）、前記Ｓ２４の処理から繰り返して行う。
【０１２３】
また、前記Ｓ３０の処理で、資金移動条件データが設定済みと判断した場合は、集計データが作成済みか否かを判断する（Ｓ３１）。その結果、集計データが作成済みでなければ、処理端末の画面に集計データ未作成のメッセージを表示し（Ｓ３２）、前記Ｓ２２の処理から繰り返して行う。しかし、前記Ｓ３１の処理で、集計データが作成済みと判断した場合は、対象支店番号に１を設定（最初の支店番号＝１を設定）し（Ｓ３３）、資金移動伝票作成処理（詳細は後述する）を行う（Ｓ３４）。
【０１２４】
前記Ｓ３４の処理終了後、対象支店番号を＋１（支店番号をインクリメント）し（Ｓ３５）、全支店の処理が終了するまで（Ｓ３６）、前記Ｓ３４の処理から繰り返して行う。このようにして全支店の処理が終了すると、全ての処理を終了とする。
【０１２５】
§７：資金移動伝票作成処理の説明・・・図７参照
図７は資金移動伝票作成処理フローチャートである。以下、図７に基づいて資金移動伝票作成処理（前記Ｓ３４の詳細な処理）を説明する。なお、Ｓ４１〜Ｓ４７は各処理ステップを示す。
【０１２６】
先ず、処理端末で資金移動伝票作成処理が起動されると、振込処理装置１１から処理対象支店の集計データを読み込む（Ｓ４２）。そして、前記集計データと資金移動条件データを基に、センタから支店と、支店からセンタへ移動する資金の件数と金額を計算し（Ｓ４３）、センタから支店へ移動する金額が０円か否かを判断する（Ｓ４４）。
【０１２７】
その結果、センタから支店へ移動する金額が０円でなければ、資金移動伝票を作成し、振込処理装置１１にホスト送信待ちとして格納する（Ｓ４５）。この場合、送信待ちとして格納された資金移動伝票は、その後、振込処理装置１１によりホスト１０へ送信される。なお、前記資金移動伝票は、紙に印刷したデータではなく、コードデータのみの電文データである。
【０１２８】
また、センタから支店へ移動する金額が０円の場合は、前記Ｓ４５の処理は行わない。次に、支店からセンタへの移動金額が０円か否かを判断し（Ｓ４６）、０円でなければ、資金移動伝票を作成し、振込処理装置１１にホスト送信待ちとして格納する（Ｓ４７）。また、支店からセンタへ移動する金額が０円の場合は、前記Ｓ４７の処理は行わない。以上の処理が完了すると、資金移動伝票の作成処理を終了する。
【０１２９】
§８：振込依頼書例の説明・・・図８、図９参照
図８は振込依頼書例１、図９は振込依頼書例２である。銀行の支店において顧客が振込を行う場合、振込依頼書に必要事項を記入する。この場合に使用する振込依頼書として、例えば図８に示した振込依頼書例１がある。前記振込依頼書例１には、振込指定日、取扱、金額の外、依頼人及び受取人の情報等を記入する欄が設けてある。なお、この振込依頼書例１は通常の振込にのみ使用するものである。
【０１３０】
また、図９に示した振込依頼書例２は、振込依頼書の一部に、振込カード発行要の欄を設け、マーク欄にマークすることで振込カードの発行が必要であることを示す振込依頼書例である。ところで、振込カードの発行は、振込を行う全ての伝票に対して行うのではなく、振込を行うエンドユーザの内、エンドユーザが必要とする場合にのみ発行すれば良い。
【０１３１】
この為、振込のみを行うか、振込を行い、かつ振込カードの発行も行うかを判別する手段が必要になる。そこで、図９に示したように、振込依頼書の一部に、振込カード発行要のマーク欄を設け、振込の外に振込カードの発行が必要な場合には、前記マーク欄にマークを付けることで処理を行う。
【０１３２】
前記の振込依頼書例２を使用して振込を行った場合、その伝票データは支店からセンタへＦＡＸ送信される。従って、センタでは前記伝票データをＦＡＸ受信すると、前記マーク欄にマークがあれば振込カードの発行を要すると判断し、前記マーク欄にマークが無ければ、振込カードの発行は必要ないと判断する。そして、センタでは、振込カードが必要な場合には、伝票データの情報を基に、振込カードを自動的に発行する。
【０１３３】
§９：振込兼振込カード発行依頼書例の説明・・・図１０参照
図１０は振込兼振込カード発行依頼書例である。図示の振込兼振込カード発行依頼書例は、１枚の依頼書で振込依頼と振込カード発行依頼を同時に記入できるようにした依頼書例である。
【０１３４】
この振込兼振込カード発行依頼書例は、依頼書のコード番号が０２０１であり、前記振込依頼書例１、２の依頼書コード番号０１０１と異なっており、このコード番号により区別できるようになっている。すなわち、通常の振込依頼書の外に、振込兼振込カード発行依頼書を別に作成しておき、振込カードの発行が必要な場合は、振込兼振込カード発行依頼書を使用して処理する。
【０１３５】
このようにすれば、各支店で顧客が各支店には、振込兼振込カード発行依頼書を使用して依頼をした場合には、その伝票データをセンタにＦＡＸ送信すると、センタではＦＡＸ受信した伝票データの前記依頼書コード番号から振込カードの発行が必要であることを判断できる。従って、前記伝票データにより振込カードを自動的に発行することができる。
【０１３６】
§１０：集計データフォーマット例の説明・・・図１１、図１２参照
図１１は集計データフォーマット例１、図１２は集計データフォーマット例２である。前記集計データは、図１１、或いは図１２に示したフォーマットにより集計されるが、これらのデータフォーマットは実質的に同じ内容である。
【０１３７】
図示のように、集計データフォーマット例１、例２において、Ａは支店、Ｂは振込種目、Ｃは振込指定日、Ｄは取扱、Ｅは宛先種別、Ｆは件数、金額の各欄である。そして、集計の分類は、前記Ａの支店、Ｂの振込種目、Ｃの振込指定日、Ｄの取扱、Ｅの宛先種別の各項目であり、支店からセンタへＦＡＸ送信した伝票データの内容に応じて件数、金額欄へ集計する。
【０１３８】
この場合、宛先種別による分類は、振込の宛て先金融機関、支店と為替データの発生した金融機関、支店とを比較し、ａ：宛て先金融機関≠発信元金融機関の場合を他行とし、ｂ：宛て先金融機関＝発信元金融機関、かつ宛て先支店＝発信元支店の場合を自店とし、ｃ：宛て先金融機関＝発信元金融機関、かつ宛て先支店≠発信元支店の場合を僚店とする分類である。
【０１３９】
なお、前記Ｂの振込種目には、フリコミ、サキフリ、キウヨ、キウヨ２、シリタテ０円、ソウキン、トリタテ、フワタリ、セイキウ、サキセイ、サキツケ、ウナソウ、コクソウの各分類項目がある。
【０１４０】
§１１：資金移動条件データフォーマット例の説明・・・図１３参照
図１３は資金移動条件データフォーマット例である。資金移動条件データフォーマットは、前記集計データフォーマットと類似した内容となっている。すなわち、資金移動条件データのフォーマットにおいて、Ｂは振込種目、Ｃは振込指定日、Ｄは取扱、Ｅは宛先種別、Ｇは条件の各欄である。そして、前記条件の欄には、(a) 、(b) 、(c) の各条件を記入するようになっている。前記条件の(a) はセンタから支店へ資金の移動を行うことを示し、(b) は支店からセンタへ資金の移動を行うことを示し、(c) は資金の移動対象外を示す。
【０１４１】
なお、前記の例では、（振込種目、振込指定日、取扱、宛先種別）の組み合わせが、（フリコミ、当日、電信、他行）及び（フリコミ、当日、電信、自店）の集計データは、条件が(a) なので、センタから支店への資金移動を行う対象である。
【０１４２】
また、（フリコミ、当日、電信、僚店）及び（フリコミ、当日、文書、他行）の集計データは、条件が(b) なので、支店からセンタへの資金の移動を行う対象である。更に、（フリコミ、当日、文書、自店）及び（フリコミ、当日、文書、僚店）の集計データは、条件が(c) なので、資金の移動を行う対象外である。
【０１４３】
ところで、前記のように資金移動伝票を作成する場合、集計データの各欄（フィールド）に対応する、資金移動条件に前記(a) が設定されていた場合は、センタから支店への資金移動とし、(b) が設定されていた場合は、支店からセンタへの資金移動として、移動する件数、金額の合計を計算する。
【０１４４】
§１２：資金移動伝票フォーマット例の説明・・・図１４参照
図１４は資金移動伝票フォーマット例である。資金移動伝票（電文データ）には、受信金庫・店、発信金庫・店、取扱日、種目、金額、番号・受取人、依頼人等の各種情報欄が設けてあり、これらの各欄に必要な情報を書き込んで資金移動伝票を作成する。この場合、(a) の「種目」の欄は、資金移動の方向によって異なる。資金移動の方向がセンタから支店の場合にはツケカエとし、支店からセンタの場合はセイキウとする。
【図面の簡単な説明】
【０１４５】
【図１】本発明の原理説明図である。
【図２】実施の形態におけるシステム構成図である。
【図３】実施の形態における為替集中処理装置のブロック図である。
【図４】実施の形態における為替処理説明図である。
【図５】実施の形態におけるセンタ側の処理フローチャートである。
【図６】実施の形態における集計処理、及び資金移動処理フローチャートである。
【図７】実施の形態における資金移動伝票作成処理フローチャートである。
【図８】実施の形態における振込依頼書例１である。
【図９】実施の形態における振込依頼書例２である。
【図１０】実施の形態における振込兼振込カード発行依頼書例である。
【図１１】実施の形態における集計データフォーマット例１である。
【図１２】実施の形態における集計データフォーマット例２である。
【図１３】実施の形態における資金移動条件データフォーマット例である。
【図１４】実施の形態における資金移動伝票フォーマット例である。
【図１５】従来の為替処理説明図である。
【図１６】従来の集計データ例／資金移動管理台帳例である。
【図１７】従来の転記例１／転記例２である。
【図１８】従来の転記例３／転記例４である。
【図１９】従来の転記例５である。
【図２０】従来の資金移動伝票例である。
【符号の説明】
【０１４６】
１  ホスト送信部
２  データ出力部
３  ファイル制御部
４  カード発行データ作成処理部
５  資金移動条件処理部
６  集計処理部
７  資金移動伝票作成処理部
１０  ホスト
１１  振込処理装置
１２  ＦＡＸ
１３  処理端末装置
１４  振込カード発行機
１５  振込カード
２０  認識部
２１  受信メモリ
２２  ファイル入力部
２３  業務処理部
２４  ファイル検索部
２５  ファイル更新部
２６  ディスク装置
２７  ディスクファイル
【図１】
2007052802.tif 000003
【図２】
2007052802.tif 000004
【図３】
2007052802.tif 000005
【図４】
2007052802.tif 000006
【図５】
2007052802.tif 000007
【図６】
2007052802.tif 000008
【図７】
2007052802.tif 000009
【図８】
2007052802.tif 000010
【図９】
2007052802.tif 000011
【図１０】
2007052802.tif 000012
【図１１】
2007052802.tif 000013
【図１２】
2007052802.tif 000014
【図１３】
2007052802.tif 000015
【図１４】
2007052802.tif 000016
【図１５】
2007052802.tif 000017
【図１６】
2007052802.tif 000018
【図１７】
2007052802.tif 000019
【図１８】
2007052802.tif 000020
【図１９】
2007052802.tif 000021
【図２０】
2007052802.tif 000022